(57)【要約】【課題】記録媒体のサイズへの対応、搬送ロールとの押圧力の調節設定が可能であると共に、部品点数を少なくして組立て工数を減少させた記録媒体の搬送手段を備えた経済的な記録装置を提供する。【解決手段】画像形成手段と、記録媒体搬送手段とを有する記録装置において、前記記録媒体搬送手段は、記録媒体の記録側とは反対側を支持する搬送ロールと、搬送ロールに対向して配設され記録媒体の記録側に接触する複数の拍車と、前記拍車を保持する保持部材とを備え、前記保持部材は、記録媒体搬送方向と直交する方向に記録媒体の搬送方向の幅に対応して分割された複数のブロックを有し、保持部材の各ブロックは記録媒体搬送方向と直交する方向に配設された複数の拍車を回転自在に保持すると共に、保持する拍車を搬送ロールの方向に圧接圧を一定に加圧する加圧部材を具備する。【選択図】図６
2006035866.tif 000002
【特許請求の範囲】
【請求項１】
画像情報に応じて記録媒体に画像を形成する画像形成手段と、記録媒体を搬送する記録媒体搬送手段とを有する記録装置において、
前記記録媒体搬送手段は、記録媒体の記録側とは反対側を支持する搬送ロールと、搬送ロールに対向して配設され記録媒体の記録側に接触する複数の拍車と、前記拍車を保持する保持部材とを備え、
前記保持部材は、記録媒体搬送方向と直交する方向に記録媒体の搬送方向の幅に対応して分割された複数のブロックを有し、保持部材の各ブロックは記録媒体搬送方向と直交する方向に配設された複数の拍車を回転自在に保持すると共に、保持する拍車を搬送ロールの方向に加圧する加圧部材を具備し、加圧部材の加圧力はブロック毎に設定可能に構成され、保持部材の各ブロックの加圧力は拍車と搬送ロールとの圧接圧を一定に設定してなる記録装置。
【請求項２】
各ブロックが具備する加圧部材の数はそのブロックが保持する拍車の数よりも少ない請求項１記載の記録装置。
【請求項３】
ブロック毎に１個の加圧部材が前記複数の拍車を搬送ロールの方向に加圧する請求項１記載の記録装置。
【請求項４】
各ブロックの連結部は同軸である回転支持軸であり、各ブロックは回転支持軸を介して装置に回転可能に取り付けてなる請求項１乃至３のいずれかに記載の記録装置。
【請求項５】
保持部材の各ブロックの加圧力は、そのブロックが保持する拍車の数に比例して加圧部材の加圧力を設定することにより、拍車と搬送ロールとの圧接圧を一定に設定してなる請求項１乃至４のいずれかに記載の記録装置。
【請求項６】
請求項１乃至５のいずれかに記載の記録装置であって、画像情報に応じてインクを吐出し記録媒体に画像を形成する画像形成手段と、記録媒体を搬送する記録媒体搬送手段とを有するインクジェット記録装置。
【発明の詳細な説明】
【技術分野】
【０００１】
本発明は、記録済みの記録媒体の排出機構を有する記録装置に関し、特に、インクジェット記録装置に関する。また、記録用紙の搬送機構の簡素化に関する。
【背景技術】
【０００２】
インクジェット記録装置はデータ信号に応じたインク滴を記録ヘッドのインク吐出口から記録媒体（記録用紙）に吐出して印字を実行する。そして、印字済みの記録媒体は搬送手段により排出側に搬送され、所定の用紙ストッカー内に排出される構成となっている。一般的には記録媒体の搬送手段は、ゴム等のローラを記録媒体の印字側とは反対側に接触させ、さらに、印字側には拍車を接触させて記録媒体をローラ側に押圧して拍車と搬送ローラにより記録媒体を挾持して、記録媒体の搬送を行っていた。この種記録媒体の搬送手段に関しては、特開平２−４１２７７号公報に搬送機構の簡素化技術が開示されている。
【発明の開示】
【発明が解決しようとする課題】
【０００３】
この搬送手段は、図７に示すように、搬送ロール１０に圧接させる拍車２０は、各拍車毎に設けられている拍車ホルダー２３に配設される弾性軸２１に取り付けられて、弾性軸２１の弾性力により拍車２０の搬送ロール１０への押圧力を得る構成となっている。しかし、開示された搬送手段は配設された拍車の数に等しい数の拍車ホルダーおよび、押圧手段としての弾性軸を必要とし、部品の組立てが複雑であると共に、組立て工数が多くなる不都合があった。そこで、この発明は、記録媒体のサイズへの対応、搬送ロールとの押圧力の調節設定が可能であると共に、部品点数を少なくして組立て工数を減少させた記録媒体の搬送手段を備えた経済的なインクジェット記録装置を提供するものである。
【課題を解決するための手段】
【０００４】
本発明の記録装置は、画像情報に応じて記録媒体に画像を形成する画像形成手段と、記録媒体を搬送する記録媒体搬送手段とを有する記録装置において、前記記録媒体搬送手段は、記録媒体の記録側とは反対側を支持する搬送ロールと、搬送ロールに対向して配設され記録媒体の記録側に接触する複数の拍車と、前記拍車を保持する保持部材とを備え、前記保持部材は、記録媒体搬送方向と直交する方向に記録媒体の搬送方向の幅に対応して分割された複数のブロックを有し、保持部材の各ブロックは記録媒体搬送方向と直交する方向に配設された複数の拍車を回転自在に保持すると共に、保持する拍車を搬送ロールの方向に加圧する加圧部材を具備し、加圧部材の加圧力はブロック毎に設定可能に構成され、保持部材の各ブロックの加圧力は拍車と搬送ロールとの圧接圧を一定に設定してなる記録装置。また、本発明のインクジェット記録装置は、画像情報に応じてインクを吐出し記録媒体に画像を形成する画像形成手段と、記録媒体を搬送する記録媒体搬送手段とを有する。
【発明を実施するための最良の形態】
【０００５】
本発明の実施の形態を図面により説明する。図１は搬送手段を上面からみた説明図、図２はその断面説明図である。インクジェット記録装置の記録媒体搬送手段は搬送ロール５０と搬送ロール５０に接触して配設される拍車４０よりなる。搬送ロール５０はゴム等の弾性体で形成され、回転軸５１に回転自在に配設される。拍車４０は保持部材であるハウジング４１に取り付けられている。ハウジング４１は記録媒体の搬送方向の幅を分割して、記録媒体の搬送方向に直交する方向に複数個配設される。図に示すこの実施の形態ではハウジング４１は搬送幅を複数個のブロックに区切っている。例えば、ブロック４１Ａ，４１Ｂ，４１ｃとする。
【０００６】
各ブロック４１Ａ，Ｂ，Ｃには複数の拍車４０が保持されている。拍車４０は支持軸４５を有し、ブロック４１Ａ，Ｂ，Ｃの拍車取付部４３に回転自在に配設されている。各ブロック４１Ａ、Ｂ、Ｃは連結軸４７を介して連結されており、連結軸４７をプレート６０に配設する支持部材６１の嵌合溝６３に嵌合して支持されている。そして、ブロックを連結したハウジング４１はプレート６０に対して矢印Ｘ方向に回動自在となっている。さらに、ハウジング４１はブロック毎に加圧部材であるスプリング７０により搬送ロール方向に付勢されている。
【０００７】
このように構成する記録媒体の搬送手段は、ハウジング４１において、ブロック４１Ａに配設される３個の拍車４０が１個のスプリング、第１のスプリング７０Ａの付勢力により搬送ロール５０方向に圧接され、通過する記録媒体の記録面を押圧して搬送を促す。同様にしてブロック４１Ｂに配設される３個の拍車４０が１個のスプリング、第２のスプリング７０Ｂの付勢力により搬送ロール５０方向に圧接され、ブロック４１Ｃに配設される複数個の拍車４０が１個のスプリング、第３のスプリング７０Ｃの付勢力により搬送ロール５０方向に圧接される。このとき、拍車４０の保持穴４９を長穴とすることにより、１つの拍車に搬送ロールとの圧接力が集中しないよう分散させることができる。また、搬送ロールに接触しない拍車がないようにすることができる。
【０００８】
このインクジェット記録装置は、複数個の拍車４０を１個のスプリング７０でブロック毎に搬送ロール５０方向に押圧させているので、１個の拍車に対して１個の押圧手段を要した従来技術に対して部品点数の削減、組立て工数の簡素化を達成するものである。さらに、保持部材４１の加圧力をブロック４１Ａ，Ｂ，Ｃが保持する拍車４０の数に比例してスプリング７０の加圧力を設定することにより、搬送ロール５０と拍車４０との圧接力が一定となり、記録媒体の搬送がスムーズに実行できる。また、ハウジング４１は拍車４０を保持するブロック４１Ａ，４１Ｂ，４１Ｃに分割され、小型化されているので、成形による反り、環境温度による反りを回転支持軸４７部分の弾性変形により吸収でき、搬送ロール５０との押圧力が安定する。さらに、スプリング７０の配置間隔、およびハウジング４１のプレート６０への支持間隔により搬送される記録媒体のサイズへの対応、搬送ロール５０との押圧力の調節設定が可能となる。
【実施例】
【０００９】
次に、本発明の実施例を図面を参照して説明する。図面は本発明に係るインクジェット記録装置の概略構成を示す図であって、図３はこのインクジェット記録装置の印字部の断面説明図、図４は拍車取付部分の構造説明図、図５はハウジングの断面図、図６はハウジングの上面図である。インクジェット記録装置１００は上流側から供給され支持部材１１０上に水平位置にある記録媒体Ｐに対して、記録媒体Ｐの上方に位置する記録ヘッド１２０によって記録媒体Ｐ上に記録を行い、記録後の記録媒体Ｐは下流側に排出されるものである。記録媒体Ｐは例えば、紙、ハガキなどで構成される。
【００１０】
記録ヘッド１２０はインクカートリッジ１２１に連絡してキャリッジ１２５に搭載されている。キャリッジ１２５は記録用紙Ｐ搬送方向に直交する方向に延びるガイド軸１２７、ガイドレール（図示せず）により摺動可能に構成されている。記録ヘッド１２０のインク吐出口面１２０ａに対向する位置が記録媒体Ｐへの記録位置となっており、記録位置には記録媒体Ｐの支持部材１１０が配設されている。
【００１１】
記録位置に対して、記録媒体Ｐの供給側には供給側搬送手段１３０が配設される。供給側搬送手段１３０は第１の搬送ローラ１３１およびピンチローラ１３３よりなる。給紙手段（図示せず）により矢印Ａ方向から搬送される記録媒体Ｐは搬送ローラ１３０およびピンチローラ１３３に挾持されて記録位置まで送られる。記録位置の排出方向下流側には、排出側第１の搬送手段１５０と排出側第２の搬送手段１６０が設けられている。
【００１２】
排出側第１の搬送手段１５０は記録ヘッド１２０で記録済みの用紙を挾持して下流側に搬送する第２の搬送ロール１５１と第１の拍車１５３よりなる。第２の搬送ロール１５１は記録媒体Ｐを裏面（記録面とは反対面）から支持して搬送し、第１の拍車１５３は記録媒体Ｐの記録面を押圧する押え手段であって、記録媒体Ｐを搬送ロール１５１方向に押しつけて搬送を促している。第２の搬送ロール１５１の搬送位置は記録位置における支持部材１１０の支持面と同一水平面としている。
【００１３】
排出側第２の搬送手段１６０は第１の搬送手段１５０の下流側に配設され、第３の搬送ロール１６１と第２の拍車１６３よりなる。第３の搬送ロール１６１は第２の搬送手段１５０から送られてくる記録媒体Ｐを裏面（記録面とは反対面）から支持して下流側に搬送する。第２の拍車１６３は記録媒体Ｐの記録面を押圧する押え手段であって、記録媒体を搬送ロール１６１方向に押しつけて搬送を促している。これらの搬送手段は記録媒体Ｐの排出方向に直交する方向に配設する回転軸に複数個の搬送ロール１５１，１６１を取付けて構成され、各回転軸の回転により搬送ロール１５１，１６１が回転して記録媒体を搬送する。
【００１４】
拍車１５３，１６３は回転部材であって、記録装置本体に配設されるプレート２００に取り付けられている。拍車１５３，１６３は搬送ロール１５１，１６１に対応して複数個配設されている。拍車１５３はハウジング２２０に保持された状態でプレート２００に取り付けられている。拍車１６３は取付部材２３０によりプレート２００に固着されている。
【００１５】
次に、拍車１５３のプレート２００への取付を説明する。拍車１５３を保持するハウジング２２０は搬送方向に直交して複数のブロックに区切って構成されている。例えば図示するように、第１のブロック２２０Ａ、第２のブロック２２０Ｂ、第３のブロック２２０Ｃを有し、第１のブロック２２０Ａには５個の拍車１５３が保持されており、第２のブロック２２０Ｂ、第３のブロック２２０Ｃには４個の拍車１５３が保持されている。各ブロック２２０Ａ，２２０Ｂ，２２０Ｃには支持軸２２１が配設され、支持軸２２１により連結されている。各ブロック２２０Ａ，Ｂ，Ｃはプレート２００に配設される支持部材２１０に回動自在に取り付けられている。各ブロックの支持軸２２１を支持部材２１０の嵌合溝２１２に嵌合させることにより、各ブロック２２０はプレート２００に対して回動できる構成となっている。また、各ブロック２２０Ａ，Ｂ，Ｃの中央部分に設けたスプリング取付部２２３に取り付けたスプリング３００により各ブロック２２０Ａ，Ｂ，Ｃを矢印Ｗ方向に付勢する。
【００１６】
このように構成するインクジェット記録装置において、第１のブロック２２０Ａをはがきサイズ、第１のブロック２２０Ａと第２のブロック２２０ＢまでをＢ５版のサイズ、第１のブロック２２０Ａから第３のブロック２２０ＣまでをＢ４版のサイズとすると、使用されている記録媒体のサイズにより、各ブロックごとに配設するスプリング３００の付勢力を設定して拍車と搬送ロールとの圧接圧力を一定とすることができる。
【００１７】
また、この実施例では各ハウジング２２０に１つ配設しているスプリング３００は、複数個（４個から５個）の拍車の押圧を実行しており、スプリングの配設個数の減少を達成している。さらに、配設スプリングの減少により組立て工数の削減、コストの低廉化が達成される。さらに拍車１５３の取付穴１５５を長穴とすることにより、加圧方向へ移動可能とし、１つの拍車に加圧力が集中しないようにする。また、搬送ロールに接触しない拍車の発生を防止できる。また、ハウジングは分割されて小型化でき、成形精度の向上が図れると共に、環境の変化に対する対応も容易となる。
【図面の簡単な説明】
【００１８】
【図１】インクジェット記録装置の記録媒体搬送装置の構成説明図。
【図２】図１の断面説明図。
【図３】インクジェット記録装置の断面説明図。
【図４】拍車の取付部材の正面図。
【図５】第１の拍車の取付部の断面図。
【図６】ハウジング平面図。
【図７】拍車取付の従来例を示す説明図。
【符号の説明】
【００１９】
４０，１５３ 拍車、 ４１，２２０ ハウジング、 ４１Ａ，Ｂ，Ｃ，２２０Ａ，Ｂ，Ｃ ブロック、 ４７，２２１ 支持軸、 ５０，１５１ 搬送ロール、 ６０，２００ プレート、 ６１，２１０ 支持部材、 ７０，３００スプリング。
【図１】
2006035866.tif 000003
【図２】
2006035866.tif 000004
【図３】
2006035866.tif 000005
【図４】
2006035866.tif 000006
【図５】
2006035866.tif 000007
【図６】
2006035866.tif 000008
【図７】
2006035866.tif 000009